(57)【要約】【課題】本発明は、上下方向の高さを従来のものよりも低くすることができる害虫駆除装置を提供すること。【解決手段】害虫駆除装置は、ケーシング１の内部を隔壁９によって前後に区画し、その一方を薬剤室１０とし、他方を電装室１１とし、外部の空気を前記ケーシング１内に導入して、前記電装室１１から薬剤室１０を経て外部へ排出するファン１２を設けている。【選択図】図２
2007082533.tif 000002
【特許請求の範囲】
【請求項１】
前面、後面、左側面、右側面、上面及び底面を有するケーシングの内部が、前記前面と後面間に配置された隔壁により薬剤室と電装室とに区画されており、
前記薬剤室の上部はファンにより前記電装室と隔てられており、
前記底面の前記薬剤室に位置する部分に排気口が設けられ、該排気口を開閉自在とする遮蔽板が前記底面に摺動自在に設けられており、
前記後面の前記薬剤室に位置する部分に開口部が設けられ、該開口部を開閉自在とする蓋体が設けられており、
前記開口部を介して前記薬剤室に収納される薬剤収納部が設けられており、
前記ケーシングの前記電装室に位置する部分に吸気口が設けられており、
前記ケーシングには、前記底面よりも下方に延出する脚部が設けられていることを特徴とする害虫駆除装置。
【請求項２】
前記遮蔽板を移動させるソレノイドが前記電装室に設けられていることを特徴とする請求項１記載の害虫駆除装置。
【請求項３】
前記ソレノイドは、プランジャーを有する単動式リニアソレノイドであり、
前記ソレノイドの非通電時に前記プランジャーを復帰させるスプリングが設けられていることを特徴とする請求項２記載の害虫駆除装置。
【請求項４】
前記隔壁の下端には、前記遮蔽板を通過可能とする切欠き部が設けられ、
前記遮蔽板の前面側は前記切欠き部を通って前記電装室に位置し、前記遮蔽板の前面側の左右中央部に、前記プランジャーに係合するプランジャー係合部が設けられ、
前記遮蔽板の後面側の左右両側に前記スプリングが係合するスプリング係合部が設けられていることを特徴とする請求項３記載の害虫駆除装置。
【請求項５】
前記電装室に、前記ソレノイドの強さを調整する駆動力調整装置が設けられていることを特徴とする請求項２〜４のいずれか一つに記載の害虫駆除装置。
【請求項６】
前記隔壁の薬剤室側面に面状ヒータが設けられていることを特徴とする請求項１〜５のいずれか一つに記載の害虫駆除装置。
【請求項７】
ケーシングの内部を隔壁によって前後に区画し、その一方を薬剤室とし、他方を電装室とし、外部の空気を前記ケーシング内に導入して前記電装室から薬剤室を経て外部へ排出するファンを設けたことを特徴とする害虫駆除装置。
【発明の詳細な説明】
【技術分野】
【０００１】
本発明は、ゴキブリ等の害虫駆除装置に関する。
【背景技術】
【０００２】
食堂や旅館の厨房などに出没するゴキブリ、その他の害虫を駆除する業務用の害虫駆除装置として、特許文献１(実公平１−３５６７１号公報)や特許文献２（特開平１０−２７６６４９号公報）等に記載のものが公知である。
【０００３】
前記特許文献１に記載のものは、殺虫剤プレートを容器内に収容し、この容器にモータファンを取り付けて、前記殺虫プレートから発散する殺虫剤を、前記モータファンにより通気口から外部に発散するものであった。前記容器には、ヒータが設けられ、発散効率が低下する一定温度以下の場合には、このヒータに自動的に通電することにより、殺虫剤プレートを温めて発散効率の低下を防止していた。また、タイマーによりモータファンまたはヒータへの通電時間を制御して夜間のみ動作させるようにしていた。
【０００４】
また特許文献２記載の従来技術は、ケーシングの内部に殺虫剤カートリッジが収納されるとともにこの殺虫剤カートリッジを挟んで互いに対向する位置に外部の空気を取り入れるための吸気口と、ケーシング内で気化した殺虫剤を外部に排出するための排気口とを前記ケーシングにそれぞれ形成し、前記吸気口から空気を吸引するとともに気化した殺虫剤を前記排気口から外部に排出するためのファンをケーシング内に配置した殺虫装置であって、前記ケーシングの前記吸気口と前記殺虫剤カートリッジとの間の空間に前記吸気口から前記殺虫剤カートリッジへの空気の流通を許容又は阻止する第１シャッタを設け、前記殺虫剤カートリッジと前記排気口との間の空間に前記殺虫剤カートリッジから前記排気口へ気化した殺虫剤の流通を許容又は阻止する第２シャッタを設け、これらの第１シャッタ及び第２シャッタは、水平に配置されるとともに通気孔が形成されたベースと、この通気孔を開閉するように前記ベースに移動自在に支持された遮蔽部材と、前記通気孔を閉塞するように前記遮蔽部材を付勢する付勢手段と、通電時に前記付勢手段の付勢力に抗して前記通気孔を開放するように前記遮蔽部材を移動させるロータリソレノイドとをそれぞれ備えたことを特徴とする殺虫装置であった。
【特許文献１】実公平１−３５６７１号公報
【特許文献２】特開平１０−２７６６４９号公報
【発明の開示】
【発明が解決しようとする課題】
【０００５】
前記特許文献１、２記載のものは、下方に薬剤室が配置され、その上方に電装室が配置される構造であったので、装置の高さが高くなるという問題があった。
【０００６】
そこで、本発明は、上下方向の高さを従来のものよりも低くすることができる害虫駆除装置を提供することを目的とする。
【課題を解決するための手段】
【０００７】
前記目的を達成するため、本発明は、次の手段を講じた。即ち、本発明の特徴とするところは、ケーシングの内部を隔壁によって前後に区画し、その一方を薬剤室とし、他方を電装室とし、外部の空気を前記ケーシング内に導入して、前記電装室から薬剤室を経て外部へ排出するファンを設けた点にある。
【０００８】
より具体的には、前面、後面、左側面、右側面、上面及び底面を有するケーシングの内部が、前記前面と後面間に配置された隔壁により薬剤室と電装室とに区画されており、前記薬剤室の上部はファンにより前記電装室と隔てられており、前記底面の前記薬剤室に位置する部分に排気口が設けられ、該排気口を開閉自在とする遮蔽板が前記底面に摺動自在に設けられており、前記後面の前記薬剤室に位置する部分に開口部が設けられ、該開口部を開閉自在とする蓋体が設けられており、前記開口部を介して前記薬剤室に収納される薬剤収納部が設けられており、前記ケーシングの前記電装室に位置する部分に吸気口が設けられており、前記ケーシングには、前記底面よりも下方に延出する脚部が設けられている。
【０００９】
前記遮蔽板を移動させるソレノイドが、前記電装室に設けられているのが好ましい。
前記ソレノイドは、プランジャーを有する単動式リニアソレノイドであり、前記ソレノイドの非通電時に前記プランジャーを復帰させるスプリングが設けられているのが好ましい。
【００１０】
前記隔壁の下端には、前記遮蔽板を通過可能とする切欠き部が設けられ、前記遮蔽板の前面側は前記切欠き部を通って前記電装室に位置し、前記遮蔽板の前面側の左右中央部に、前記プランジャーに係合するプランジャー係合部が設けられ、前記遮蔽板の後面側の左右両側に前記スプリングが係合するスプリング係合部が設けられているのが好ましい。
【００１１】
前記電装室に、前記ソレノイドの強さを調整する駆動力調整装置が設けられているのが好ましい。
【００１２】
前記隔壁の薬剤室側面に面状ヒータが設けられているのが好ましい。
【発明の効果】
【００１３】
本発明によれば、薬剤室と電装室とを前後に区画したので、従来の上下に区画するものに比べて、装置全体の高さを低くすることができる。または従来と同じ高さにした場合は、薬剤室を従来の電装室まで延長できるので、その分薬剤室の上下方向長さを長くできるので、ファンにより生成された空気流と薬剤との接触長さが長くなり、薬剤の発散を効率よく行なえる。
【発明を実施するための最良の形態】
【００１４】
以下、本発明の実施の形態を図面に基づき説明する。
図１、２において、本発明の害虫駆除装置は、飲食店やホテル等の厨房などに設置され、ゴキブリなどの害虫を駆除するものである。この害虫駆除装置は、ケーシング１を有する。ケーシング１は、前面２、後面３、左側面４、右側面５、上面６及び底面７を有する立方体(長方体）に形成されている。前記ケーシング１には、前記底面７よりも下方に延出する脚部８が設けられている。この脚部８は、前面２と後面３の下部に形成されている。
【００１５】
ケーシング１の内部は、前記前面２と後面３との間に配置された隔壁９により薬剤室１０と電装室１１とに区画されている。
【００１６】
前記薬剤室１０の上部はファン１２により前記電装室１１と隔てられている。
前記ファン１２は、電動モータにより駆動される軸流ファンであり、該ファン１２の軸心は縦方向に配置されている。
【００１７】
前記隔壁９の上部は後面３側に向って、直角に折り曲げられた折曲部１３とされ、該折曲部１３の端縁が前記後面３にネジ止めされている。前記折曲部１３にファン取り付け穴が開口し、該穴の中心とファン１２の軸心が一致するように、前記ファン１２が折曲部１３に固定されている。
【００１８】
図３に示すように、前記左右側面４，５と上面６は、ステンレス製帯状板をコ字状に折り曲げることにより一体的に形成さ、前面２、後面３、底面７及び隔壁９は、ステンレス板より個別に形成されている。前記前面２、後面３、底面７及び隔壁９の周縁は折り曲げフランジに形成されている。各面の構成部材をビス等の締結手段により組み立てることにより立方体のケーシング１が構成される。
【００１９】
前記前面２には、その上部より、ヒューズ１４、インジケータランプ１５、操作パネル１６、押しボタンスイッチ１７、及び、電源スイッチ１８などの電装品が取り付けられている。前記操作パネル１６はタイマーが内蔵されている。前記各電装品の後部は、ケーシング１内の電装室１１に位置している。
【００２０】
前記隔壁９の薬剤室１０側面にヒータ１９が取り付けられている。このヒータ１９は薄板状に形成された面状ヒータであるが、このような形状に限定されるものではない。
【００２１】
また薬剤室１０の下部には温度センサー２０が設けられている。この温度センサー２０は、前記ヒータ１９により加熱された薬剤室１０内の温度を測定するものである。そして、前記電装室１１には、前記各電装機器の制御装置などが設けられている。
【００２２】
前記後面３の前記薬剤室１０に位置する部分に開口部２１が設けられている。この開口部２１を開閉自在とする蓋体２２が前記後面３に着脱自在に設けられている。
【００２３】
前記蓋体２２には鍵２３が設けられ、鍵２３をロック操作することにより蓋体２２は開口部２１に密着固定され、開錠操作することにより蓋体２２は後面３から取り外し可能とされている。
【００２４】
前記蓋体２２に薬剤を着脱自在に収納する薬剤収納部２４が設けられている。薬剤は、ゴキブリ等の害虫を駆除するものであり、カートリッジ２５に収納されている。このカートリッジ２５は、蒸散性殺虫剤溶液を含浸させた複数枚のプレート２６を有する構造である。
【００２５】
前記薬剤収納部２４は前記複数枚のプレート２６を所定間隔を置いて縦長状に挿脱自在に保持するものである。
【００２６】
前記殺虫剤を含浸させるプレート２６は、樹脂またはウレタンフォーム等の連続気泡性プラスチック発泡体、不織布、繊維集合体、スポンジ等の多孔性の素材であって、殺虫剤の溶液に侵されないものであればよい。
【００２７】
前記ケーシング１の前記電装室１１に位置する部分に吸気口２７が設けられている。この吸気口２７は、左右側面４，５の上部に設けられた上部吸気口２７ａと、前面２の下部に設けられた下部吸気口２７ｂとから構成されている。上部吸気口２７ａは上下に長いスリット状長穴を横一列に複数形成してなる。下部吸気口２７ｂは円穴を多数形成してなる。上部吸気口２７ａは、前記ファン１２よりも上に設けられ、下部吸気口２７ｂは前記ヒータ１９よりも下に設けられている。
【００２８】
前記底面７の前記薬剤室１０に位置する部分に排気口２８が設けられている。この排気口２８は、左右方向に長いスリット状長穴を複数列、複数行にわたって設けてなるものである。
【００２９】
前記排気口２８を開閉自在とする遮蔽板２９が前記底面７に摺動自在に設けられている。この遮蔽板２９は、底面７に取り付けられたガイドレール３０により前後方向移動自在に案内される。
【００３０】
前記隔壁９の下端には、前記遮蔽板２９が通過可能とする切欠き部３１が設けられている(図３参照）。
【００３１】
前記遮蔽板２９の前面側は前記切欠き部３１を通って前記電装室１１に位置している(図２参照）。
【００３２】
前記遮蔽板２９を移動させるソレノイド３２が前記電装室１１に設けられている。
前記ソレノイド３２は、プランジャー３３を有する単動式リニアソレノイドである。
【００３３】
前記ソレノイド３２の非通電時に前記プランジャー３３を復帰させるスプリング３４が設けられている。この実施の形態では、前記スプリング３４として、圧縮コイルスプリングが例示されている。このスプリング３４は、前記遮蔽板２９と底面７との間に設けられている。具体的には、底面７に取り付けられた前記ガイドレール３０と遮蔽板２９との間に設けられている。
【００３４】
図４、５に示すように、前記遮蔽板２９は、平面視ほぼ正方形に形成されたステンレス板製である。この遮蔽板２９には、前記底面７のスリット状排気口２８と同じ形状で同じピッチで配置された多数の開口３５を有する。遮蔽板２９が図４のＰ、Ｑ方向(前後方向)に移動することにより、底面７の排気口２８と遮蔽板２９の開口３５とが合致したり、非合致したりして、排気口２８を開閉自在とする。
【００３５】
前記ソレノイド３２は、電磁石３６と、電磁石３６を収納するケース３７と、電磁石３６から突出する前記プランジャー３３とを有する。プランジャー３３の突出端部に周溝３８が形成されている。前記ケース３７が底面７にビスで固定されている。
【００３６】
電磁石３６は直流型である。したがって、電装室１１には、外部電源の交流を直流に整流する整流装置が設けられている。
【００３７】
前記遮蔽板２９の前面側の左右中央部に、前記プランジャー３３の周溝３８に係合するプランジャー係合部３９が設けられている。このプランジャー係合部３９は、前記遮蔽板２９の前面側の左右中央部に切起こし状に立設された切り起し片４０に形成されたＵ字状凹部４１により形成されている。このＵ字状凹部４１にプランジャー３３の周溝３８が係脱自在に係合している。
【００３８】
この実施の形態においては、前記遮蔽板２９の後面側の左右両側に前記スプリング３４の一端部が係合するスプリング係合部４２が設けられている。このスプリング係合部４２は、前記プランジャー係合部３９が設けられた側とは反対側の左右両側に形成された切り起し片４３と、該切り起し片４３に螺合されるビス４４とからなる。このビス４４にスプリング３４の端部が外嵌する。
【００３９】
前記ガイドレール３０は、前記底面７の左右側部に設けられている。このガイドレール３０は、アルミニウム製の角材からなり、該角材の底面に接する部分の縁部に断面Ｌ型のガイド溝４５が形成され、該ガイド溝４５に前記遮蔽板２９の左右縁部が前後方向に摺動自在に案内される。
【００４０】
前記ガイドレール３０の端部に座ぐり部が形成され、該座ぐり部に前記スプリング３４の他端部が内嵌されている。
【００４１】
前記ガイドレール３０は、前後方向の位置を調整自在に設けられている。ガイドレール３０の位置調整は、ガイドレール３０を底面に取り付けるためのボルト４６を、底面に設けられた長孔４７(図２参照)を介して取り付けることにより、長孔分だけ位置調整可能としている。
【００４２】
ガイドレール３０の位置を調整することにより、前記スプリング３４が前記遮蔽板２９を付勢する強さを調整自在としている。
【００４３】
なお、前記スプリング３４の強さを調整する構造は、前記実施の形態に示すものに限定されるものではない。
【００４４】
次に、前記構成の害虫駆除装置の動作を説明する。
まず、ケーシング１の後面３に取り付けられている蓋体２２を取り外し、蓋体２２に設けられている薬剤収納部２４に薬剤のカートリッジ２５を収納した後、後面３の開口部２１に蓋体２２を取り付け、鍵２３によりロックする。
【００４５】
この害虫駆除装置では、昼間の非稼動時間帯は、排気口２８は遮蔽板２９により閉じられ、ファン１２等の電装品もタイマーによりオフ状態となっている。遮蔽板２９の排気口閉鎖状態は、スプリング３４により維持されている。
【００４６】
薬剤室１０の下部の底面７の排気口２８が閉じられているので、薬剤室１０には対流が発生しないので、該薬剤室１０に収納されているプレート２６から気化した薬剤は、ケーシング１の外部に漏出しない。
【００４７】
夜間の稼動時間帯になるとタイマーが作動してソレノイド３２に通電され、プランジャー３３が電磁石３６に吸引されて移動し、該プランジャー３３に係合している遮蔽板２９が移動し、該遮蔽板２９の開口３５と底面７の排気口２８とが合致し、閉じられていた排気口２８が開き、薬剤室１０の内外が連通する。
【００４８】
タイマーによって、ファン１２、ヒータ１９、温度センサー２０などの電装品が作動する。
【００４９】
ファン１２が作動することにより、吸気口２７から外部空気が電装室１１内に取り込まれ、該空気は、電装室１１内の電装品を冷却しつつ薬剤室１０に至る。
【００５０】
ファン１２によって送られてきた薬剤室１０内の空気は、カートリッジ２５のプレート２６間を通過し、プレート２６から気化した殺虫成分を含んで排気口２８から外部に排出される。
【００５１】
このとき、電装品の温度コントローラにより温度センサー２０で測定された排気口近傍の空気温度と、適正温度とに基づいて、ヒータ１９の出力の大小が調整される。ここで、適正温度とは、殺虫剤成分の空気中濃度が害虫駆除に有効な適正値となり得る一定範囲の温度をいう。
【００５２】
この状態で所定時間、殺虫成分を厨房内に拡散させることにより、害虫が駆除される。
稼働時間が経過すると、タイマーが作動して、電装品への通電が停止される。ソレノイド３２への通電が停止されることにより、遮蔽板２９はスプリング３４に付勢されて排気口２８を閉じる位置へ移動し、排気口２８を閉鎖する。
【００５３】
なお、前記実施の形態では、スプリング３４の強さを調整自在としたが、前記ソレノイド３２の吸引力を電気的に調整自在とすることもできる。
【００５４】
すなわち、前記電装室１１に、前記ソレノイド３２の強さを調整する駆動力調整装置を設けることができる。
【００５５】
この駆動力調整装置は図示省略するが、外部電源から供給される交流を直流に整流し、充電し、ソレノイドに直流電圧を印加するものであり、商用外部電源を低電圧に変換するトランスと、整流充電回路と、出力する電圧が調整可能とされた定電圧回路と、ファン駆動との同期を図る時限回路と、ソレノイドを駆動するドライバーとを備えている。
【００５６】
前記整流充電回路は、たとえば、トランスにより電圧変換された交流を整流して直流とする整流器と、この直流を充電し平滑化するコンデンサーと、放熱器が設けられた３端子ＩＣとを備える。
【００５７】
前記定電圧回路は、ツェナーダイオード、トランジスタ、固定抵抗、可変抵抗、保護回路などを有する３端子のレギュレータと、このレギュレータに設けられる放熱器と、安定用のコンデンサーとを備えて構成され、整流充電回路のコンデンサーに十分に蓄えられた電荷が電圧降伏によってツェナーダイオードを流れ、固定抵抗及び可変抵抗の分圧に応じて出力される電圧が調整可能となっている。
【００５８】
前記時限回路は、電装品に実装されたタイマーの一部を構成し、電装品に実装されたファンの駆動についての時限回路と連動して、ソレノイドの動作とファンの動作との同期を図るものである。すなわち、タイマーによる害虫駆除装置の稼動開始時、時限回路が定電圧回路からの出力電流を検知すると、ファンを駆動する時限回路に駆動信号が送出され、ソレノイドの駆動とファンの駆動とを略同時に実行することができる。
【００５９】
前記ドライバーは、ソレノイドに所定電圧を印加する。これによりソレノイドに所定の大きさの電圧が印加される。
【００６０】
以上のような構成では、外部商用電源の交流がトランスで所定の電圧に変換され、整流充電回路で直流化及び充電されることにより、定電圧回路では、たとえば、４８Ｖ程度の比較的大きな電圧に維持される。この場合で、たとえば、ソレノイドが定格電圧２４Ｖ、抵抗２００Ω、定格電流１２０ｍｍＡであるとき、ドライバーによってソレノイドに４８Ｖの電圧を印加すると、約２４０ｍｍＡの電流がソレノイドに流れ、ソレノイドの駆動力がほぼ倍になる。但し、このような電圧印加は、焼損を回避するために短時間の通電とする。
【００６１】
ここで、定電圧回路で電圧を調整することにより、ソレノイドに印加される電圧の大きさが変化し、ソレノイドの駆動力を可変にできる。
【００６２】
前記実施の形態によれば、ケーシング１の内部を隔壁９によって前後に区画し、その一方を薬剤室１０とし、他方を電装室１１とし、外部の空気を前記ケーシング１内に導入して、前記電装室１１から薬剤室１０を経て外部へ排出するファン１２を設けたので、従来の上方に電装室を設けたものに比べ、装置の高さを低く押さえることができ、コンパクト化が図れる。
【００６３】
図６に示すものは、本発明の他の実施の形態である。前記図１〜図５に示すものは、主としてステンレス鋼板で形成されていたが、図６に示すものは、プラスチック成形品を組み立ててなるものである。ケーシング１を耐熱プラスチック化することにより軽量化が図られている。
【００６４】
この図６に示す実施の形態では、蓋体２２が、後面３に枢支部５０を介して回動自在に枢支されている。また、薬剤収納部２４が蓋体２２と別体に設けられている。薬剤収納部２４は、カセットとして形成されている。このカセットに薬剤プレート２６の複数枚が上方から装着される。薬剤収納部２４には、薬剤プレート２６を所定間隔で収納するためのラック溝５１が形成されている。
【００６５】
薬剤収納部２４の底面には、上方からの空気流が通過可能なスリット５２が多数設けられている。
【００６６】
薬剤収納部２４は、開口部２１を介して薬剤室１０の内外に出し入れ自在とされる。ケーシング１内の薬剤室１０の内面には、薬剤収納部２４を載置する受部５３が設けられている。
【００６７】
蓋体２２の下部にロック係合部５４が設けられている。後面３には、前記ロック係合部５４に係脱自在に係合するロック片５５が設けられている。このロック片５５は、キーを挿脱自在に挿入することにより、回動操作される。蓋体２２が開口部２１を閉じたとき、キー操作することにより、蓋体２２がロックされる。
【００６８】
その他の構成は、前記実施の形態と実質的に同じである。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６９】
本発明は、害虫駆除産業に利用できる。
【図面の簡単な説明】
【００７０】
【図１】本発明の実施の形態に係わる害虫駆除装置の正面図である。
【図２】図１の側面図の一部破断図である。
【図３】分解組立図である。
【図４】遮蔽板の斜視図である。
【図５】底面と遮蔽板とソレノイドとの組み立て斜視図である。
【図６】本発明の他の実施の形態を示す分解斜視図である。
【符号の説明】
【００７１】
１  ケーシング、２  前面、３  後面、４  左側面、５  右側面、６  上面、７  底面、８  脚部、９  隔壁、１０  薬剤室、１１  電装室、１２  ファン、１９  ヒータ、２１  開口部、２２  蓋体、２４  薬剤収納部、２７  吸気口、２８  排気口、２９  遮蔽板、３０  ガイドレール、３１  切欠き部、３２  ソレノイド、３３  プランジャー、３４  スプリング、３９  プランジャー係合部、４２  スプリング係合部。
【図１】
2007082533.tif 000003
【図２】
2007082533.tif 000004
【図３】
2007082533.tif 000005
【図４】
2007082533.tif 000006
【図５】
2007082533.tif 000007
【図６】
2007082533.tif 000008